(57)【要約】【課題】コンテンツ再生を制御するためのシステム及び方法を提供する。【解決手段】本発明のコンテンツ再生を制御するためのシステムは、表示部にコンテンツを表示するように構成された再生装置と、視聴者状態感知領域をモニタリングするように構成された少なくとも一つの感知器と、前記コンテンツ上の少なくとも一つの関心地点（ＰＯＩ）を確認し、ユーザの入力に応じて前記再生装置を制御するように構成されたコントローラと、を備える。【選択図】図１
2014023146.tif 000002
【特許請求の範囲】
【請求項１】
コンテンツ再生を制御するためのシステムであって、
表示部にコンテンツを表示するように構成された再生装置と、
視聴者状態感知領域をモニタリングするように構成された少なくとも一つの感知器と、
前記コンテンツ上の少なくとも一つの関心地点（ＰＯＩ）を確認し、ユーザの入力に応じて前記再生装置を制御するように構成されたコントローラと、を備えることを特徴とするシステム。
【請求項２】
前記コントローラは、ユーザの入力を介して前記確認された少なくとも一つの関心地点のうちの一つからコンテンツを再生するように前記再生装置を制御することを特徴とする請求項１に記載のシステム。
【請求項３】
前記コントローラによって前記確認された少なくとも一つの関心地点に関するデータ及び前記コンテンツを貯蔵するための貯蔵装置を更に含むことを特徴とする請求項２に記載のシステム。
【請求項４】
前記コントローラは、前記少なくとも一つの感知器から受信した入力に応じて前記視聴者状態感知領域内の視聴者が該視聴者状態感知領域から離れた時点を確認し、前記視聴者状態感知領域内の視聴者が離れた時点に対応する前記コンテンツの再生地点を確認することを特徴とする請求項２に記載のシステム。
【請求項５】
前記コントローラは、前記少なくとも一つの感知器から受信した入力に応じて前記視聴者状態感知領域に新たな視聴者が入ってきた時点を確認し、前記視聴者状態感知領域に新たな視聴者が入ってきた時点に対応する前記コンテンツの再生地点を確認することを特徴とする請求項２に記載のシステム。
【請求項６】
前記コントローラは、少なくとも一人の新たな視聴者が前記視聴者状態感知領域に入ってきた場合、現在再生中のコンテンツを変更することを特徴とする請求項２に記載のシステム。
【請求項７】
前記コントローラは、少なくとも一人の新たな視聴者が前記視聴者状態感知領域に入ってきた場合、ユーザの入力に基づいて現在再生中のコンテンツを年齢に合うコンテンツに変更する父母制御モードで作動することを特徴とする請求項６に記載のシステム。
【請求項８】
前記コントローラは、前記少なくとも一つの感知器から受信した入力に応じて前記視聴者状態感知領域に子供が入ってきた時点を確認し、前記視聴者状態感知領域に子供が入ってきた時点に対応して現在再生中のコンテンツを子供向けのコンテンツに変更するように制御することを特徴とする請求項７に記載のシステム。
【請求項９】
前記コントローラは、現在再生中のコンテンツを変更し、ユーザの入力に応じて前記コンテンツの再生地点に基づく該コンテンツの再生を制御するための前記コンテンツ再生地点を確認することを特徴とする請求項８に記載のシステム。
【請求項１０】
前記コントローラは、前記視聴者状態感知領域内の視聴者の行動に基づいて前記関心地点を確認することを特徴とする請求項２に記載のシステム。
【請求項１１】
前記コントローラは、前記視聴者状態感知領域内の視聴者の騒音レベルに基づいて前記関心地点を確認することを特徴とする請求項１０に記載のシステム。
【請求項１２】
入力装置を更に含み、
前記コントローラは、コンテンツのタイムラインに前記確認された少なくとも一つの関心地点を表示するように前記再生装置を制御し、
前記コントローラは、前記入力装置を介して受信したユーザの入力に応じて前記コンテンツの前記確認された少なくとも一つの関心地点のうちの一つから再生するように制御することを特徴とする請求項２に記載のシステム。
【請求項１３】
前記再生装置は、前記確認された少なくとも一つの関心地点に関する少なくとも一つの特徴を抽出し、抽出された該少なくとも一つの徴表を利用して前記コンテンツのタイムラインに前記確認された少なくとも一つの関心地点をそれぞれ表示することを特徴とする請求項１２に記載のシステム。
【請求項１４】
前記徴表は、アイコン、クリップアート、イモチコン、ユーザによって生成されたアバター、自動的にキャプチャーされた画像、及び特殊効果で処理された画像のうちの少なくとも一つを含むことを特徴とする請求項１３に記載のシステム。
【請求項１５】
前記コントローラは、前記少なくとも一つの感知器を介して前記視聴者状態感知領域内の視聴者が予め定義されたプロファイルを有する視聴者であるか否かを確認することを特徴とする請求項１に記載のシステム。
【請求項１６】
前記コントローラは、前記予め定義されたプロファイルを有する少なくとも一人の視聴者に応じてコンテンツを決定することを特徴とする請求項１５に記載のシステム。
【請求項１７】
前記コントローラは、前記感知器を介して感知された視聴者の特徴に基づいて前記予め定義されたプロファイルを有する該視聴者が前記視聴者状態感知領域内にいるか否かを確認し、
前記感知された視聴者の特徴は、身長、体重、年齢、性別、顔、及び体型のうちの少なくとも一つを含むことを特徴とする請求項１５に記載のシステム。
【請求項１８】
前記コントローラは、前記視聴者状態感知領域内の視聴者の顔の表情を感知し、該感知された顔の表情に応じて少なくとも一つの関心地点を確認することを特徴とする請求項２に記載のシステム。
【請求項１９】
コンテンツ再生を制御するための方法であって、
再生装置でコンテンツを再生するステップと、
少なくとも一つの感知器を利用して視聴者状態感知領域をモニタリングするステップと、
再生中の前記コンテンツに対する少なくとも一つの関心地点（ＰＯＩ）を確認するステップと、
コントローラによって、ユーザの入力に応じて前記コンテンツの再生を制御するステップと、を有することを特徴とする方法。
【請求項２０】
前記コンテンツを再生するステップは、
ユーザの入力に応じて前記確認された少なくとも一つの関心地点のうちの一つから前記コンテンツを再生するためにコントローラによって制御されるステップを含むことを特徴とする請求項１９に記載の方法。
【請求項２１】
前記コントローラによって、前記確認された少なくとも一つの関心地点に関するデータ及び前記コンテンツを貯蔵装置に貯蔵するステップを更に含むことを特徴とする請求項２０に記載の方法。
【請求項２２】
前記コントローラによる前記視聴者状態感知領域のモニタリングに応じて視聴者が前記視聴者状態感知領域から離れた時点を確認するステップを更に含み、
前記再生中の前記コンテンツに対する少なくとも一つの関心地点を確認するステップは、視聴者が前記視聴者状態感知領域から離れた時点に対応する前記コンテンツの再生地点を確認するステップを含むことを特徴とする請求項２０に記載の方法。
【請求項２３】
前記コントローラによる前記視聴者状態感知領域のモニタリングに応じて新たな視聴者が視聴者状態感知領域に入ってきた時点を確認するステップを更に含み、
前記再生中の前記コンテンツに対する少なくとも一つの関心地点を確認するステップは、新たな視聴者が前記視聴者状態感知領域に入ってきた時点に対応する前記コンテンツの再生地点を確認するステップを含むことを特徴とする請求項２０に記載の方法。
【請求項２４】
前記コントローラによって、少なくとも一人の新たな視聴者が前記視聴者状態感知領域に入ってきた時点に対応して現在再生中のコンテンツを変更するステップを更に含むことを特徴とする請求項２０に記載の方法。
【請求項２５】
前記再生装置でコンテンツを再生するステップは、
ユーザの入力による父母制御モードを介して、少なくとも一人の新たな視聴者が前記視聴者状態感知領域に入ってきた場合、現在再生中のコンテンツを年齢に合うコンテンツに変更するステップを含むことを特徴とする請求項２４に記載の方法。
【請求項２６】
前記再生装置でコンテンツを再生するステップは、
前記視聴者状態感知領域に対するモニタリングに応じて該視聴者状態感知領域に子供が入ってきた場合、現在再生中のコンテンツを子供向けのコンテンツに変更するステップを含むことを特徴とする請求項２５に記載の方法。
【請求項２７】
前記少なくとも一つの関心地点を確認するステップは、
ユーザの入力に応じて前記コンテンツの再生地点に基づく該コンテンツの再生が作動するように前記コンテンツの再生地点を確認するステップを含むことを特徴とする請求項２６に記載の方法。
【請求項２８】
前記少なくとも一つの関心地点を確認するステップは、
前記視聴者感知領域内の視聴者の行動に基づいて前記関心地点を確認するステップを含むことを特徴とする請求項２７に記載の方法。
【請求項２９】
前記少なくとも一つの関心地点を確認するステップは、
前記視聴者感知領域内の視聴者の騒音レベルに基づいて前記関心地点を確認するステップを含むことを特徴とする請求項２８に記載の方法。
【請求項３０】
入力装置からユーザの入力を受信するステップを更に含み、
前記コンテンツの再生を制御するステップは、前記ユーザの入力に応じて前記コンテンツに対する前記確認された少なくとも一つの関心地点のうちの一つから再生するように制御するステップを含むことを特徴とする請求項２０に記載の方法。
【請求項３１】
前記確認された少なくとも一つの関心地点に関する少なくとも一つの特徴を抽出し、抽出された該少なくとも一つの徴表を利用して前記コンテンツのタイムラインに前記確認された少なくとも一つの関心地点をそれぞれ表示するステップを更に含むことを特徴とする請求項３０に記載の方法。
【請求項３２】
前記徴表は、アイコン、クリップアート、イモチコン、ユーザによって生成されたアバター、自動的にキャプチャーされた画像、及び特殊効果で処理された画像のうちの少なくとも一つを含むことを特徴とする請求項３１に記載方法。
【請求項３３】
前記コントローラによって、前記少なくとも一つの感知器から受信した入力を介して前記視聴者状態感知領域内に予め定義されたプロファイルを有する視聴者が含まれているか否かを確認するステップを更に含むことを特徴とする請求項１９に記載の方法。
【請求項３４】
前記コントローラによって、少なくとも一人の視聴者に対する予め定義されたプロファイルに基づいてコンテンツを決定するステップを更に含むことを特徴とする請求項３３に記載の方法。
【請求項３５】
前記コントローラによって、前記感知器を介して感知された視聴者の特徴に基づいて前記視聴者状態感知領域内にいる該視聴者が前記予め定義されたプロファイルを有する視聴者であるか否かを確認するステップを更に含み、
前記感知された視聴者の特徴は、身長、体重、年齢、性別、顔、及び体型のうちの少なくとも一つを含むことを特徴とする請求項３３に記載の方法。
【請求項３６】
前記視聴者状態感知領域をモニタリングするステップは、前記視聴者感知領域内の視聴者の顔の表情を感知するステップを含み、
前記再生中の前記コンテンツに対する少なくとも一つの関心地点を確認するステップは、前記感知された視聴者の顔の表情に応じて少なくとも一つの関心地点を確認するステップを含むことを特徴とする請求項２０に記載の方法。
【発明の詳細な説明】
【技術分野】
【０００１】
本発明は、コンテンツ再生を制御するためのシステム及び方法に関し、より詳細には、視聴者の状態を感知して再生画面のタイムラインに表示することでコンテンツ再生を容易に制御するためのシステム及び方法に関するものである。
【背景技術】
【０００２】
関連技術によるコンテンツ再生を制御するためのシステムは、視聴領域内の感知された視聴者の数に基づいて再生中のプログラムを一時停止するか又は再生を続けるのかを決定するためにモニタリングを行う。例えば、関連技術によるコンテンツ再生を制御するためのシステムは、視聴領域内の視聴者の数を感知する感知器を含む。プログラムを再生している場合、コンテンツ再生を制御するためのシステムは、視聴領域内の視聴者の数が変更されたことを感知するために視聴領域を周期的にモニタリングする。視聴領域内の視聴者の数が減少した場合、コンテンツ再生を制御するためのシステムは、再生中のプログラムを一時停止するために再生装置を制御する。視聴領域内の視聴者の数が前に感知された視聴者の数より増加するか又は維持される場合、コンテンツ再生を制御するためのシステムは、プログラム再生を続けるように制御する。
【０００３】
関連技術によると、双方向システムは、多数のユーザがマルチメディアイベントの記録物を検索及び購入することができるように提供される。即ち、関連技術によると、マルチメディアイベントは、質疑を介したユーザのチェックのために記録されるか又は保管される。例えば、多数のセンサーがマルチメディアイベントを記録するように構成される。センサー、その他のデータ入力ストリーム、及びそれらに関する全ての関連メタデータは、マルチメディアイベントに関する全ての入力を集める収集装置に入力される。フィルタリングシステムは、ユーザの質疑に関するか又はユーザの興味のあるマルチメディアイベントの一部を確認するためのマルチメディアイベントに関する入力に対する知能的なフィルタリングを提供する。例えば、フィルタリングシステムは、マルチメディアイベントの特定部分を識別するか又はユーザの質疑に対応した検索を介してハイライトを生成するか又は保管する。
【０００４】
関連技術によるコンテンツ再生を制御するシステム及びその方法は、視聴者又は視聴領域内の視聴者を感知するか又はモニタリングせず、再生コンテンツのタイムラインと感知したデータとを連動させない。例えば、関連技術によるコンテンツ再生を制御するためのシステム及び方法は、視聴者の騒音レベル及び他の行動をモニタリングせず、関心地点の特徴や徴表を識別して知能的にコンテンツ再生を制御するように再生コンテンツの該当地点と共に関心時点の徴表を連動しない。
【０００５】
従って、知能的にコンテンツ再生を制御するための装置及びその方法が必要である。
【０００６】
上述した情報は本発明の理解を助けるための背景情報であり、上述したもののうちのいずれも本発明に対する従来技術として適用され得るのかに関してはいかなる主張も決定もしない。
【先行技術文献】
【特許文献】
【０００７】
【特許文献１】韓国特許出願公開第１０−２０１０−００５４４２１号明細書
【発明の概要】
【発明が解決しようとする課題】
【０００８】
本発明は、上記従来の問題点に鑑みてなされたものであって、本発明の目的は、知能的にコンテンツ再生を制御するためのシステム及び方法を提供することにある。
【課題を解決するための手段】
【０００９】
上記目的を達成するためになされた本発明の一態様によるコンテンツ再生を制御するためのシステムは、表示部にコンテンツを表示するように構成された再生装置と、視聴者状態感知領域をモニタリングするように構成された少なくとも一つの感知器と、前記コンテンツ上の少なくとも一つの関心地点（ＰＯＩ）を確認し、ユーザの入力に応じて前記再生装置を制御するように構成されたコントローラと、を備える。
【００１０】
前記コントローラは、ユーザの入力を介して前記確認された少なくとも一つの関心地点のうちの一つからコンテンツを再生するように前記再生装置を制御し得る。
前記システムは、前記コントローラによって前記確認された少なくとも一つの関心地点に関するデータ及び前記コンテンツを貯蔵するための貯蔵装置を更に含むことができる。
前記コントローラは、前記少なくとも一つの感知器から受信した入力に応じて前記視聴者状態感知領域内の視聴者が該視聴者状態感知領域から離れた時点を確認し、前記視聴者状態感知領域内の視聴者が離れた時点に対応する前記コンテンツの再生地点を確認し得る。
前記コントローラは、前記少なくとも一つの感知器から受信した入力に応じて前記視聴者状態感知領域に新たな視聴者が入ってきた時点を確認し、前記視聴者状態感知領域に新たな視聴者が入ってきた時点に対応する前記コンテンツの再生地点を確認し得る。
前記コントローラは、少なくとも一人の新たな視聴者が前記視聴者状態感知領域に入ってきた場合、現在再生中のコンテンツを変更し得る。
前記コントローラは、少なくとも一人の新たな視聴者が前記視聴者状態感知領域に入ってきた場合、ユーザの入力に基づいて現在再生中のコンテンツを年齢に合うコンテンツに変更する父母制御モードで作動し得る。
前記コントローラは、前記少なくとも一つの感知器から受信した入力に応じて前記視聴者状態感知領域に子供が入ってきた時点を確認し、前記視聴者状態感知領域に子供が入ってきた時点に対応して現在再生中のコンテンツを子供向けのコンテンツに変更するように制御し得る。
前記コントローラは、現在再生中のコンテンツを変更し、ユーザの入力に応じて前記コンテンツの再生地点に基づく該コンテンツの再生を制御するための前記コンテンツ再生地点を確認し得る。
前記コントローラは、前記視聴者状態感知領域内の視聴者の行動に基づいて前記関心地点を確認し得る。
前記コントローラは、前記視聴者状態感知領域内の視聴者の騒音レベルに基づいて前記関心地点を確認し得る。
前記システムは、入力装置を更に含むことができ、前記コントローラは、コンテンツのタイムラインに前記確認された少なくとも一つの関心地点を表示するように前記再生装置を制御し、前記コントローラは、前記入力装置を介して受信したユーザの入力に応じて前記コンテンツの前記確認された少なくとも一つの関心地点のうちの一つから再生するように制御し得る。
前記再生装置は、前記確認された少なくとも一つの関心地点に関する少なくとも一つの特徴を抽出し、抽出された該少なくとも一つの徴表を利用して前記コンテンツのタイムラインに前記確認された少なくとも一つの関心地点をそれぞれ表示し得る。
前記徴表は、アイコン、クリップアート、イモチコン、ユーザによって生成されたアバター、自動的にキャプチャーされた画像、及び特殊効果で処理された画像のうちの少なくとも一つを含み得る。
前記コントローラは、前記少なくとも一つの感知器を介して前記視聴者状態感知領域内の視聴者が予め定義されたプロファイルを有する視聴者であるか否かを確認し得る。
前記コントローラは、前記予め定義されたプロファイルを有する少なくとも一人の視聴者に応じてコンテンツを決定し得る。
前記コントローラは、前記感知器を介して感知された視聴者の特徴に基づいて前記予め定義されたプロファイルを有する該視聴者が前記視聴者状態感知領域内にいるか否かを確認し、前記感知された視聴者の特徴は、身長、体重、年齢、性別、顔、及び体型のうちの少なくとも一つを含み得る。
前記コントローラは、前記視聴者状態感知領域内の視聴者の顔の表情を感知し、該感知された顔の表情に応じて少なくとも一つの関心地点を確認し得る。
【００１１】
上記目的を達成するためになされた本発明の一態様によるコンテンツ再生を制御するための方法は、再生装置でコンテンツを再生するステップと、少なくとも一つの感知器を利用して視聴者状態感知領域をモニタリングするステップと、再生中の前記コンテンツに対する少なくとも一つの関心地点（ＰＯＩ）を確認するステップと、コントローラによって、ユーザの入力に応じて前記コンテンツの再生を制御するステップと、を有する。
【発明の効果】
【００１２】
本発明のコンテンツ再生を制御するためのシステム及びに方法によれば、再生装置の画面にコンテンツを表示する際に、視聴者状態感知領域に配置された感知器を利用してその再生領域をモニタリングし、コンテンツに対する少なくとも一つの関心地点（ＰＯＩ）を識別してユーザの入力に応じた再生装置の動作を制御することで、視聴者に合わせたコンテンツの再生を容易に行うことができる。
【図面の簡単な説明】
【００１３】
【図１】本発明の一実施形態によるコンテンツ再生を制御するためのシステムを説明する図である。
【図２Ａ】本発明の一実施形態によるコンテンツ再生を制御するための電子装置を説明する図である。
【図２Ｂ】本発明の一実施形態によるコンテンツ再生を制御するための電子装置を説明する図である。
【図２Ｃ】本発明の一実施形態によるコンテンツ再生を制御するための電子装置を説明する図である。
【図２Ｄ】本発明の一実施形態によるコンテンツ再生を制御するための電子装置を説明する図である。
【図３】本発明の一実施形態によるコンテンツ再生を制御する方法を示すフローチャートである。
【発明を実施するための形態】
【００１４】
以下、本発明を実施するための形態の具体例を、図面を参照しながら詳細に説明する。本発明を説明するに当たって、関連する公知機能或いは構成に対する具体的な説明が本発明の要旨を不明確にするおそれがあると判断した場合、その詳細な説明を省略する。そして、後述する用語は、本発明における機能を考慮して定義したものであり、これはユーザ、運用者の意図又は慣例などによって異なり得る。従って、その定義は本明細書全般に亘る内容に基づいて行われるべきである。
【００１５】
以下、本発明の実施形態は、オーディオ及びビデオコンテンツに関して具体的に説明する。このシステム又は装置は、オーディオ又はビデオコンテンツ、その他のコンテンツ、オーディオ又はコンテンツの他の形の組み合わせに適用される。各システム及びいかなる適用可能なシステムも特許請求の範囲内で理解すべきである。
【００１６】
以下の説明において、再生領域とは、コンテンツを視聴する視聴者の状態を感知器を介して感知するための領域である視聴者状態感知領域を意味する。
【００１７】
本発明の実施形態は、知能的にコンテンツ再生を制御するためのシステム及びその方法を含む。
【００１８】
図１は、本発明の一実施形態によるコンテンツ再生を制御するためのシステムを説明する図である。
【００１９】
図１を参照すると、コンテンツ再生を制御するためのシステム１００は、コントローラ１０１、再生装置１１０、少なくとも一つの感知器１２０ａ〜１２０ｇ、及び再生領域（視聴者状態感知領域）１３０を含む。
【００２０】
再生装置１１０は、再生領域１３０の視聴者１４０ａ〜１４０ｃが具備するコンテンツを再生する。例えば、視聴者１４０ａ、１４０ｂ、及び１４０ｃは再生装置１１０によって再生されるコンテンツを見るか聞くことができる。本実施形態によると、再生装置１１０は、ビデオコンテンツを表示する装置、オーディオコンテンツを再生する装置、及びオーディオとビデオが組み合わされたコンテンツを再生する装置などである。例えば、再生装置１１０は、テレビ、プロジェクタ、コンピュータ、タブレット、セットトップボックス、個人用ビデオレコーダ（ＰＶＲ）、及びマルチメディアセンターのうちの少なくとも一つである。
【００２１】
少なくとも一つの感知器１２０ａ〜１２０ｇは、再生領域１３０をモニタリングする。例えば、本実施形態によると、少なくとも一つの感知器１２０ａ〜１２０ｇは、再生領域１３０又は再生領域１３０の視聴者のうちの少なくとも一つの特徴をモニタリングする。少なくとも一つの感知器１２０ａ〜１２０ｇは、オーディオ感知器及びビデオ感知器である。例えば、少なくとも一つの感知器１２０ａ〜１２０ｇは、赤外線、光学、音波探知機、ビデオ、及びよく知られている適切な他の感知器である。
【００２２】
本実施形態によると、少なくとも一つの感知器１２０ａ〜１２０ｇは、再生装置１１０及びコントローラ１０１に連結されて作動する。例えば、少なくとも一つの感知器１２０ａ〜１２０ｇは、少なくとも一つの再生装置１１０及びコントローラ１０１にデータを伝送するか又はデータを入力する。
【００２３】
コントローラ１０１は再生装置１１０の動作を制御する。例えば、コントローラ１０１は、視聴者１４０ａ〜１４０ｃのうちの少なくとも一人のユーザの入力に応じて再生装置１１０の動作を制御する。本実施形態によると、ユーザの入力は入力装置１５０を利用してコントローラ１０１に伝送されるか又は入力される。例えば、入力装置１５０はリモートコントローラである。他の例として、入力装置１５０は、キーボード、マウス、及びそれらの組み合わせである。
【００２４】
本実施形態によると、コントローラ１０１は、コンテンツ再生中の少なくとも一つの関心地点（ＰＯＩ：ｐｏｉｎｔ  ｏｆ  ｉｎｔｅｒｅｓｔ）を識別して確認する。例えば、コントローラ１０１は、少なくとも一つの感知器１２０ａ〜１２０ｇから受信したデータに基づいて少なくとも一つの関心地点を識別して確認する。コントローラ１０１は、再生領域１３０の特徴及び視聴者１４０ａ〜１４０ｃのうちの少なくとも一人のユーザに対する特徴に基づいて少なくとも一つの関心地点を識別して確認する。
【００２５】
本実施形態によると、コントローラ１０１は、再生されたコンテンツの前の部分の探索を容易にするために少なくとも一つの関心地点とタイムラインとを連動する。例えば、コントローラ１０１は、コンテンツのタイムラインとコンテンツに対する少なくとも一つの関心地点を連動して貯蔵装置１０２に貯蔵する。ユーザ（例えば、視聴者１４０ａ、１４０ｂ、及び１４０ｃ）は、コンテンツに対する少なくとも一つの関心地点のうちの少なくとも一つの関心地点として再生中のコンテンツを選択して探索する。例えば、それぞれの関心地点は再生装置１１０によってコントローラのタイムラインと共に表示され、ユーザはコンテンツに対する再生を始めたい関心地点を選択することができる。関心地点とコンテンツのタイムラインはコンテンツの表示と重なるように表示される。他の例として、それぞれの関心地点は徴表を介して該当する関心地点に対する少なくとも一つの特徴を識別することができるように表示される。
【００２６】
本実施形態によると、コントローラ１０１は、少なくとも一つの感知器１２０ａ〜１２０ｇから受信した入力に基づいて、再生領域１３０の視聴者１４０ａ〜１４０ｃのうちの少なくとも一人が再生領域１３０から離れたことを確認する。例えば、コントローラ１０１は、視聴者１４０ａ〜１４０ｃのうちの少なくとも一人が再生領域１３０から離れた時点に対応するコンテンツの再生地点を確認する。例えば、視聴者１４０ａ〜１４０ｃが映画又は他の形態のコンテンツを視聴している間に、視聴者１４０ａ〜１４０ｃのうちの少なくとも一人が再生領域１３０からしばらく離れた場合（例えば、電話をする、トイレに行く、食べ物を用意するためなど）、コントローラが視聴者１４０ａ〜１４０ｃが離れた時点に対応するコンテンツの正確な再生位置を確認することができると、視聴者は離れた時点のコンテンツの再生位置からコンテンツを再生することができるために便利である。
【００２７】
本実施形態によると、コントローラ１０１は、少なくとも一つの感知器１２０ａ〜１２０ｇから受信した入力を介して再生領域１３０に新たな視聴者１４０ａ〜１４０ｃが入ってきたことを確認する。また、コントローラは、新たな視聴者が再生領域に入ってきた時点に対応するコンテンツの再生地点を確認する。例えば、視聴者が特定コンテンツを見るか聞いている間に新たな視聴者が再生領域に入ってきた場合、新たな視聴者は見逃したコンテンツの内容に興味を持っている可能性がある。このような場合、新たな視聴者はコンテンツの前の再生地点に移動することができる。
【００２８】
本実施形態によると、コントローラ１０１は、少なくとも一つの感知器１２０ａ〜１２０ｇから受信したデータを介して再生装置１１０の動作を制御する。例えば、新たな視聴者が再生領域１３０に入ってきた場合、コントローラ１０１は、現在再生中のコンテンツの動作を変更する。他の例として、再生領域１３０に新たな視聴者が入ってきた場合、コンテンツ再生を制御するためのシステムは、再生中のコンテンツを子供が視聴してもよいか否かを判断するための父母制御モードを含む。もし、大人で構成された視聴者１４０ａ〜１４０ｃが成人コンテンツを視聴している途中で視聴領域１３０に子供が入ってきた場合、コントローラ１０１は、子供が視聴してもよいコンテンツに変更する。即ち、再生領域１３０に少なくとも一人の新たな視聴者が入ってきた場合、コントローラ１０１は、少なくとも一つの感知器１２０ａ〜１２０ｇから受信したデータを介して、再生中のコンテンツを自動的に該当する年齢帯に適合したコンテンツに変更する。また、コントローラ１０１は、再生領域１３０に新たな視聴者が入ってきた時点に対応するコンテンツに対する関心地点を確認する。即ち、再生領域１３０に子供が入ってきて再生中のコンテンツを変更した場合、コントローラ１０１は、変更前のコンテンツの再生地点を確認し、子供が再生領域１３０から離れると変更前のコンテンツの再生地点から再生する。また、再生領域１３０から子供が離れた場合、コントローラ１０１は自動的にコンテンツの関心地点に戻る。
【００２９】
本実施形態によると、コントローラ１０１は、再生領域１３０及び視聴者１４０ａ〜１４０ｃの特徴を考慮して関心地点を確認する。例えば、コントローラ１０１は、再生領域１３０の視聴者１４０ａ〜１４０ｃのうちのいずれか一人の行動に基づいて関心地点を確認する。他の例として、コントローラ１０１は、視聴者のうちの少なくとも一人の顔の表情に基づいて関心地点を確認することもできる。また他の例として、コントローラ１０１は、再生領域１３０の騒音レベルに基づいて関心地点を確認することもできる。より詳細に、コントローラ１０１は、再生領域１３０の視聴者１４０ａ〜１４０ｃの騒音レベルに基づいて関心地点を確認する。例えば、再生装置１１０によってスポーツイベントが再生されている場合、視聴者１４０ａ、１４０ｂ、及び１４０ｃは得点の際に歓声を上げる可能性がある。コントローラ１０１は、視聴者の応援に応じてスポーツイベントの関心地点として得点時点を確認する（例えば、スポーツイベントで予め定義された臨界値以上の騒音レベルである場合）。スポーツイベントの関心地点である得点時点を確認する際に、視聴者又は新たな視聴者は、再生コンテンツから選択される関心地点を介してスポーツイベントのハイライトを素早く確認することができる。
【００３０】
本実施形態によると、ユーザ（例えば、視聴者）は固有のユーザプロファイルを貯蔵することができる。例えば、予め定義されたプロファイルは貯蔵装置１０２に貯蔵される。予め定義されたプロファイルはユーザ設定を識別する。例えば、ユーザ設定は、コンテンツに関するユーザの好みのコンテンツのタイプ、好みのボリューム、又は画面の特徴を含む。
【００３１】
本実施形態によると、コントローラ１０１は、少なくとも一つの感知器１２０ａ〜１２０ｇの入力を介して再生領域１３０の視聴者１４０ａ〜１４０ｃのうちの予め定義されたプロファイルを有する視聴者が含まれていることを確認する。例えば、コントローラ１０１は、少なくとも一つの感知器１２０ａ〜１２０ｇから受信した入力と貯蔵装置１２０に貯蔵された多様なユーザプロファイルと特徴を比較する。本実施形態によるコントローラ１０１は、身長、体重、年齢（又は大体の年齢）、性別、顔（例えば、顔の特徴）、及び体型のうちの少なくとも一つの特徴を検出する少なくとも一つの感知器１２０ａ〜１２０ｇによって感知された特徴を利用し、予め定義されたプロファイルを有する視聴者（１４０ａ〜１４０ｃ）を含むことを確認する。
【００３２】
図２Ａ〜図２Ｄは、本発明の一実施形態によるコンテンツ再生を制御するための電子装置を説明する図である。
【００３３】
図２Ａ〜図２Ｄを参照すると、本実施形態によるコンテンツ再生を制御するための装置２００は再生装置２１０及び感知器２２０を含む。コンテンツ再生を制御するための装置２００はコントローラ（図示せず）を含む。例えば、コントローラは再生装置２１０に統合されるか設置される。
【００３４】
再生装置２１０は、再生領域２３０の視聴者２４０ａ〜２４０ｄにコンテンツ再生を提供する。再生装置２１０はリモコンのような入力装置２５０と通信を行う。
【００３５】
再生装置２１０、感知器２２０、及びコントローラの機能と動作は、図１に示した実施形態と同様である。従って、簡潔性のためにこのような機能に対する詳細な説明を図２Ａ〜図２Ｄでは省略する。
【００３６】
図２Ａ〜図２Ｄを参照すると、コントローラは、再生装置２１０の動作を制御してコンテンツ再生画面にタイムラインインジケータ２６０を表示する。本実施形態において、タイムラインインジケータ２６０はコンテンツの画面に重畳されて表示される。本実施形態によると、コントローラは、確認された少なくとも一つの関心地点２７０ａとタイムラインインジケータ２６０とを連動する。例えば、図２Ａを参照すると、人に関するアイコンの徴表は、タイムラインインジケータ２６０と共に、確認された関心地点２７０ａに表示される。
【００３７】
本実施形態による図２Ｂを参照すると、２つの関心地点２７０ａ及び２７０ｂはタイムラインインジケータ２６０と共に表示される。関心地点２７０ａ及び２７０ｂは、関心地点に対する視聴者の特徴を伝える。例えば、関心地点２７０ａには一人（例えば、男性）のアイコンを図示しており、関心地点２７０ｂには二人（例えば、男性と女性）のアイコンを図示している。即ち、再生装置２１０が関心地点２７０ａ及び２７０ｂを表示した場合、視聴者は、関心地点２７０ｂが女性視聴者が再生領域２３０に入ってきた地点であることを確認することができる。
【００３８】
本実施形態による図２Ｃを参照すると、３つの関心地点２７０ａ〜２７０ｃはタイムラインインジケータ２６０と共に表示される。関心地点２７０ａ〜２７０ｃは、関心地点に対する視聴者の特徴を含む。例えば、関心地点２７０ａには一人（例えば、男性）のアイコンを図示しており、関心地点２７０ｂには二人（例えば、男性と女性）のアイコンを図示しており、関心地点２７０ｃには４人（例えば、大人の男性と女性、男の子と女の子）のアイコンを図示している。即ち、再生装置２１０が関心地点２７０ａ〜２７０ｃを表示した場合、視聴者は、関心地点２７０ｂを介して女性視聴者が再生領域２３０に入ってきた地点であることを確認することができ、関心地点２７０ｃを介して子供（例えば、男の子及び女の子）が再生領域２３０に入ってきた地点であることを確認することができる。
【００３９】
本実施形態によると、ユーザ（例えば、視聴者）は、タイムラインインジケータ２６０及び関心地点２７０ａ〜２７０ｃが再生装置２１０に表示されるモードと、タイムラインインジケータ２６０及び関心地点２７０ａ〜２７０ｃが再生装置２１０に表示されないモードとを選択的に転換することができる。例えば、ユーザは、入力装置２５０に対する入力を介して２つのモードを転換することができる。この際、入力装置２５０は、２つのモードを転換するためのタイムラインボタン２５１を含んでもよい。
【００４０】
本実施形態によると、関心地点は、アイコン、クリップアート、イモチコン（顔文字）、ユーザによって生成されたアバター、自動的にキャプチャーされた画像、及び特殊効果で処理された画像を含む徴表として確認される。例えば、図２Ａ〜図２Ｃに示したように、関心地点２７０ａ〜２７０ｃに該当するアイコンを表示する。他の例として、図２Ｄに示したように、関心地点２７０ａ〜２７０ｃに該当する再生領域２３０をキャプチャーしたイメージ（例えば、カメラ・センサーによって撮影された画像）を表示してもよい。
【００４１】
図３は、本発明の一実施形態によるコンテンツ再生を制御する方法を示すフローチャートである。
【００４２】
図３を参照すると、コンテンツ再生は知能的に制御される。例えば、コンテンツ再生を制御する方法は、ユーザの入力又は少なくとも一つの感知器によって感知された特徴に基づいてコンテンツ再生を制御する。即ち、再生領域の特徴及び再生領域の視聴者の特徴に基づいてコンテンツ再生を制御する。
【００４３】
再生装置はステップＳ３０１で初期化される。初期化されると、再生装置は、ステップＳ３０５に進行してコンテンツを再生する。例えば、コンテンツはオーディオコンテンツ及びビデオコンテンツのうちの少なくとも一つである。即ち、コンテンツはスポーツイベント、コンサート、テレビ番組、及びゲームのうちの少なくとも一つである。
【００４４】
コンテンツを再生すると、再生装置はステップＳ３１０に進行して少なくとも一つの感知器及び少なくとも一つのセンサーを利用して再生領域をモニタリングする。ステップＳ３１５において、少なくとも一つの感知器は、再生領域をモニタリングしたデータをコントローラに伝送する。
【００４５】
ステップＳ３２０において、コントローラは、少なくとも一つの感知器から受信したデータを介して関心地点が示されるか視聴者の潜在的な関心イベントが発生するかを確認する。例えば、本実施形態によると、コントローラは、視聴者が再生領域から離れることを確認する。視聴者が再生領域から離れた場合、コントローラは、再生領域から離れた視聴者が後に戻って見逃したコンテンツを再び視聴することができるように、コンテンツに関する関心地点を確認する。また、コントローラは、再生領域に視聴者が入ってくることを確認する。再生領域に視聴者が入ってきた場合、コントローラは、再生領域から離れた視聴者が離れる前に再生していたコンテンツを再び視聴することができるように、コンテンツに関する関心地点を識別して確認する。本実施形態によると、コントローラは、再生領域に入ってきた視聴者の特徴を確認する。例えば、コントローラは、再生領域に入ってきた視聴者が大人であるかこともであるかを確認する。
【００４６】
本実施形態によると、予め定義されたプロファイルを有する視聴者が含まれていることを確認する。例えば、コントローラは、身長、体重、年齢（又は大体の年齢）、性別、顔、及び体型のうちの少なくとも一つを含む予め定義されたプロファイルを有する視聴者を認識するか確認する。
【００４７】
本実施形態によると、コントローラは再生領域の特徴及び視聴者の特徴に応じて関心地点を確認する。例えば、コントローラは、感知された騒音レベルに基づいて関心地点を確認する。他の例として、コントローラは、視聴者の顔の表情に基づいて関心地点を確認することもできる。
【００４８】
関心地点を確認した場合、コントローラは、ステップＳ３２５に進行して再生中のコンテンツと関心地点をマッピングして貯蔵する。
【００４９】
一方、関心地点の識別によるイベントが発生しない場合、コントローラは、ステップ３１０に進行して少なくとも一つの感知器を介して再生領域をモニタリングするステップを継続する。
【００５０】
ステップＳ３３０において、コントローラは、関心地点の確認によるイベントに基づいて、再生装置によって再生されているコンテンツを変更するか否かを決定する。例えば、再生装置により成人コンテンツを再生している途中で再生領域に子供が入ってきた場合、コントローラは、再生装置が年齢に合うコンテンツ（即ち、子供向けのコンテンツ）に変更するように制御する。本実施形態によると、コントローラは、父母制御モードを介して成人コンテンツを再生している途中で再生領域に子供が入ってきた場合、再生中のコンテンツを自動的に変更するように制御する。本実施形態によると、予め定義されたプロファイルを有する視聴者が存在する場合、コントローラは、予め定義されたプロファイルを有する該当する視聴者に対するコンテンツを推奨するように決定する。
【００５１】
再生中のコンテンツを変更することが必要ではないと判断した場合、コントローラは、ステップＳ３１０に進行してコンテンツ再生を制御するために少なくとも一つの感知器を利用して再生領域をモニタリングするステップを継続する。
【００５２】
感知されたイベントを介して再生中のコンテンツを変更することが必要であると判断した場合、コントローラは、ステップＳ３３５に進行して再生中のコンテンツを変更するように制御する。
【００５３】
ステップＳ３４０において、コントローラは入力装置から入力を受信する。例えば、入力装置から受信した入力は、再生装置で再生するためのコンテンツに対する選択であってもよい。他の例として、入力装置から受信した入力は、表示中のコンテンツに関する関心地点のための選択であってもよい。それぞれの確認された関心地点とコンテンツのタイムラインとは共に表示される。関心地点及びタイムラインは再生中のコンテンツと重なるように表示される。関心地点は徴表としてタイムラインと共に表示される。本実施形態によると、徴表は、アイコン、クリップアート、イモチコン、ユーザによって生成されたアバター、自動的にキャプチャーされた画像、及び特殊効果で処理された画像のうちの少なくとも一つである。
【００５４】
上述したように、再生装置の画面にコンテンツを表示し、少なくとも一つの感知器を利用して再生領域をモニタリングし、コントローラを利用してコンテンツに対する少なくとも一つの関心地点を識別して確認し、ユーザの入力に応じて再生装置の動作を制御することで、電子装置のユーザがコンテンツの再生を容易に制御することができる利点がある。
【００５５】
以上、本発明の実施形態について図面を参照しながら詳細に説明したが、本発明は、上述の実施形態に限定されるものではなく、本発明の技術的範囲から逸脱しない範囲内で多様に変更実施することが可能である。
【符号の説明】
【００５６】
１００    システム
１０１    コントローラ
１０２    貯蔵装置
１１０、２１０    再生装置
１２０ａ〜１２０ｇ、２２０    感知器
１３０、２３０    再生領域（視聴者状態感知領域）
１４０ａ〜１４０ｃ、２４０ａ〜２４０ｄ    視聴者
１５０、２５０    入力装置
２００    コンテンツ再生を制御するための装置
２５１    タイムラインボタン
２６０    タイムラインインジケータ
２７０ａ〜２７０ｃ    関心地点（ＰＯＩ：ｐｏｉｎｔ  ｏｆ  ｉｎｔｅｒｅｓｔ）
【図１】
2014023146.tif 000003
【図２Ａ】
2014023146.tif 000004
【図２Ｂ】
2014023146.tif 000005
【図２Ｃ】
2014023146.tif 000006
【図２Ｄ】
2014023146.tif 000007
【図３】
2014023146.tif 000008